(57)【特許請求の範囲】
【請求項１】
枠組壁工法建築物の天井部断熱構造であって、
頭つなぎの上面に所定高さの垂木受け材を立設するとともに、頭つなぎの上面に天井根太を配置し、さらに前記天井根太の上面に板状断熱材を敷設したことを特徴とする枠組壁工法建築物の天井部断熱構造。
【請求項２】
前記天井根太と前記板状断熱材との間に、乾燥面材が介在されていることを特徴とする枠組壁工建築物の天井部断熱構造。
【請求項３】
前記乾燥面材が、単板、合板、繊維板、パーティクルボードの少なくとも１種以上からなるものであることを特徴とする請求項２に記載の建築物の桁上断熱構造。
【請求項４】
前記垂木受け材は、高さの異なる第１の垂木受け材と第２の垂木受け材とから構成され、背の高い第１の垂木受け材が室外側に配置されていることを特徴とする請求項１に記載の枠組壁工法建築物の天井部断熱構造。
【請求項５】
前記垂木受け材の上面に当接して、一つの垂木と、隣接する垂木との間に、発泡合成樹脂からなる桁パッキンを配設したことを特徴とする請求項１から４のいずれかに記載の枠組壁工法建築物の天井部断熱構造。
【発明の詳細な説明】
【０００１】
【発明の属する技術分野】
本発明は枠組壁工法建築物の天井部断熱構造に関する。
【０００２】
【従来の技術】
木造住宅の枠組壁工法は、通常、間柱に２ｉｎ×４ｉｎの材を用いるため、ツーバイフォーと称されている。
【０００３】
このような工法では、構成する木材の断面寸法の種類がわずかで良いという利点がある。
【０００４】
図３は、従来の枠組壁工法建築物の天井部断熱構造を示したものである。
【０００５】
この建築物では、枠材により所定厚さの壁体１が構成されている。また、壁体１内にはグラスウール８が装填され、外壁下張材９により覆われている。すなわち、この建築物では、壁体１内に内断熱構造が構成されている。一方、頭つなぎ２により、垂木３が支持されている。また、所定間隔おきに配置された天井根太７間に、グラスウール５が側方から転び止め６に当接するように装填されている。なお、図３において、符号４、１０は防湿材を示したものである。
【０００６】
【発明が解決しようとする課題】
ところで、このような従来の枠組壁工法建築物では、小屋裏空間において、天井根太がむきだしに配置されることになる。すると、この部分に熱橋が生じてしまう。これを避けるために、天井根太の上に板状断熱材などを敷設して断熱性を向上させることもできるが、根太が邪魔になって、結局、板状断熱材を屋根側に密着させることができなかった。したがって、単にこの上に板状断熱材を敷設しても、熱橋を防ぐことができないという問題があった。
【０００７】
本発明はこのような実情に鑑み、枠組壁工法建築物の天井部の熱橋を効果的に防ぐことができる枠組壁工法建築物の天井部断熱構造を提供することを目的としている。
【０００８】
【課題を解決するための手段】
上記目的を達成するための本発明に係る枠組壁工法建築物の天井部断熱構造建は、
枠組壁工法建築物の天井部断熱構造であって、
頭つなぎの上面に所定高さの垂木受け材を立設するとともに、頭つなぎの上面に天井根太を配置し、さらに前記天井根太の上面に板状断熱材を敷設したことことを特徴としている。
【０００９】
このような構成によれば、垂木受けを立設することにより、天井根太の上方に所定高さの空間を確保でき、この空間に板状断熱材を切り欠くことなく設置することができる。したがって、天井根太間に断熱材を挿入する断熱構造ではないことから、天井部での熱橋が少なくなり、断熱性が向上する。
【００１０】
また、前記天井根太と前記板状断熱材との間に、単板、合板、繊維板、パーティクルボードなどの乾燥面材を介在させることができる。
【００１１】
これにより、板状断熱材の面強度を向上させることができる。
【００１２】
また、前記桁垂木受け材は、高さの異なる第１の垂木受け材と第２の垂木受け材とから構成され、背の高い第１の垂木受け材が室外側に配置されていることを特徴としている。これにより、天井根太を確実に保持することができる。
【００１３】
また、前記垂木受け材の上面に当接して、一つの垂木と、隣接する垂木との間に、発泡合成樹脂からなる桁パッキンを配設したことを特徴とする。これにより、垂木間の隙間を無くすことができる。
【００１４】
【発明の実施の形態】
以下、図面に示した実施例を参照しながら本発明を説明する。
【００１５】
図１は本発明の一実施例による天井部断熱構造を備えた木造２階建ての枠組壁工法建築物を示したものである。
【００１６】
この建築物では、基礎２０の上に土台２１が据えられ、土台２１の上に、端根太または側根太５０，５１が立設されている。さらに、根太５０，５１の上面に板材２４が敷設されている。
【００１７】
板材２４は、構造用合板あるいはパーティクルボードなどの木質系材料によって形成されている。一方、２階の床面には根太２５が配設されている。また、根太２５の上に、同じく、パーティクルボード、構造用合板などの板材２６が敷き並べられている。
【００１８】
さらに、１階、２階の壁面には所定間隔おきに縦枠２８が立設され、これらは頭つなぎ２９で連結されている。縦枠２８の外側には、同じく、構造用合板、パーティクルボードなどの板材３０が面方向に張り巡らされている。なお、この板材３０の外側目地部、土台２１と基礎２０との間などには、気密テープを介在させることが好ましい。この気密テープは、適宜なクッション性と粘着性を備えた、いわゆる発泡合成樹脂からなるシール材である。また、これらの板材３０の外側には、発泡合成樹脂からなる板状断熱材３１が張り巡らされている。すなわち、外断熱構造が構成されている。
【００１９】
板状断熱材３１は、どのような発泡体から構成しても良いが、例えば、ポリスチレンフォーム、ポリプロピレンフォーム、ポリエチレンフォーム、ポリウレタンフォーム、フェノールフォーム、アクリルフォーム、炭酸塩系無機質発泡体、水酸化物系無機質発泡体、炭酸塩系無機質発泡体、珪酸塩系無機質発泡体などが例示される。軽量性に基づく作業性を高めようとする場合はポリスチレンフォーム、ポリプロピレンフォームなどの有機系発泡体が好ましく、不燃性が重視される場合には無機質系発泡体が好適である。またこれらの発泡体は有機系発泡体では押出法、ビーズ法など、無機質系発泡体ではバッチ法などで製造することができる。発泡倍率は任意であるが、例えば、２０〜６０倍とするのが望ましい。
【００２０】
面方向に広がる板材３０と板状断熱材３１とを接合するには、例えば、接着剤が用いられる。接着剤の種類としては、酢酸ビニル樹脂エマルジョン系接着剤、エポキシ系接着剤、ウレタン系接着剤などが例示される。また、板状断熱材３１と板材３０とはステープラーなどの針材で連結しても良いが、針のような金属の貫通は断熱欠損となるので、貫通しないようにする必要がある。このような断熱材を配設することにより、この建築物では、縦枠２８の外側に外断熱構造が構成されている。
【００２１】
一方、２階の天井部には、図２に拡大して示したように、頭つなぎ２９の上面に、第１の垂木受け材３３と、第２の垂木受け材３４とが立設されている。
なお、これらの垂木受け材３３，３４は、水平方向に延びる長尺物である。
第１の垂木受け材３３は、第２の垂木受け材３４に比べて背が高く形成されているが、第２の垂木受け材３４は、上方に持ち上げられて配置されている。これにより、頭つなぎ２９の上面に、天井根太３５の支持領域が確保されている。天井根太３５は、頭つなぎ２９の上方で、第１の垂木受け材３３の側面に突き合わされ、かつ第２の垂木受け材３４の下面と当接している。このように、天井根太３５の取付位置を確保することにより、天井根太３５の落下が防止されている。また、天井根太３５の上面にはパーティクルボード、構造用合板などの板材４０が平面状に敷設されている。実施例では、パーティクルボードが採用されている。
【００２２】
このような板材４０が敷き並べられたら、発泡合成樹脂からなる第１の板状断熱材３７が敷設されるとともに、その上方に第２の板状断熱材３８が敷設されている。したがって、天井部では、二重の断熱材３７，３８により、断熱層の厚さが十分厚くされている。
【００２３】
垂木３９は、縦枠３１および第１の受け材３３に支持されている。
また、一つの垂木３９と隣接する垂木３９との間には、それぞれ板状発泡合成樹脂からなる桁パッキン４５が水平方向を囲繞するように配置されている。桁パッキン４５は、板状断熱材３１、３７、３８などと同様の材質から形成されていても良いが、適宜なクッション性と柔軟性を備えていることが好ましい。このような桁パッキン４５を配置することにより、垂木３９間の隙間を無くすことができうる。なお、図２において、符号４１、４６は気密テープを示したものである。このような気密テープ４１、４６を貼着することにより、板材３０と第１の垂木受け３３との接合部の断熱気密性ならびに、板材４０と第１，第２の垂木受け材３３，３４間の断熱気密性を向上させることができる。
【００２４】
このような天井部断熱構造が設置された建築物では、天井部を断熱している板状断熱材３７、３８を部分的に切り欠く必要がない。しかも、板状断熱材３７，３８を二重に敷設できるので、薄い断熱材を使用する場合であっても、断熱性能を十分向上させることができる。また、壁側の板状断熱材３１も垂木３９の近傍まで延ばすことができるので、壁側の断熱性能も十分発揮することができる。
【００２５】
以上、本発明の一実施例について説明したが、本発明は上記実施例に何ら限定されない。例えば、上記実施例では、第１の垂木受け材３３と第２の垂木受け材３４とを立設しているが、垂木受け材は、一つであっても良い。この場合には、背の低い側の垂木受け材を略することになる。
【００２６】
また、上記実施例では、壁および床を構築するにあたり、現場で、縦枠２８および板材３０を取り付けていく工法で説明したが、パネル工法にも適用可能である。
【００２７】
本発明によれば、今まで、一階の床、あるいは２階の床に構成されていた構造をそのまま天井部に採用しているので、余分な寸法の部材を新たに設ける必要がなく、部品の共用化を図ることができる。したがって、コスト的にも安価に構成できる。また寒冷地においても、十分な断熱性能を発現させることができる。
【００２８】
このような構造を採用することにより、いわゆるツーバイフォーの建築物であっても天井部の断熱性能を向上させることができる。
【００２９】
【発明の効果】
以上、説明したように、本発明に係る枠組壁工法建築物の天井部断熱構造によれば、枠組により壁を構成した建築物の頭つなぎの上面に垂木受け材を立設したことにより、天井根太の上方に空間を確保でき、この空間を利用して板状断熱材を切り欠くことなく敷設することができる。したがって、天井根太間に断熱材を挿入する断熱構造ではないことから、天井部での熱橋が少なくなり、断熱性が向上する。これにより、十分な断熱性能を発揮させることができ、寒冷地の断熱構造として最適な断熱構造を提供できる。
【００３０】
また、外断熱を構成した建築物に有効である。
【図面の簡単な説明】
【図１】図１は本発明の一実施例による断熱構造が設置された枠組壁工法建築物の要部断面図である。
【図２】図２はその一部を拡大して示した断面図である。
【図３】図３は従来の桁上断熱構造が設置された屋根部の断面図である。
【符号の説明】
３３              第１の垂木受け材
３４              第２の垂木受け材
３５              天井根太
３７              第１の板状断熱材
３８              第２の板状断熱材
３９              垂木
４０              板材
４５              桁パッキン
【図１】
0003729671.tif 000002
【図２】
0003729671.tif 000003
【図３】
0003729671.tif 000004